(57)【要約】      （修正有）【課題】キーボード装置を薄型化しつつ、信号線を適切に配線することが可能な方法を提供する。【解決手段】磁石を有し押下可能な複数のキートップ１５０と、前記複数のキートップに対向するように設けられ、信号線１３６が配線された対向部材と、前記対向部材において前記キートップの押下時の前記磁石の位置に対応して形成された複数の開口部と、を備え、前記信号線は、前記開口部を避けるように配線されている、キーボード装置。【選択図】図１０
2015049800.tif 000002
【特許請求の範囲】
【請求項１】
磁石を有し押下可能な複数のキートップと、
前記複数のキートップに対向するように設けられ、信号線が配線された対向部材と、
前記対向部材において前記キートップの押下時の前記磁石の位置に対応して形成された複数の開口部と、
を備え、
前記信号線は、前記開口部を避けるように配線されている、キーボード装置。
【請求項２】
前記磁石は、前記キートップの裏面に幅方向において中心から端側にずれて配置されている、
請求項１に記載のキーボード装置。
【請求項３】
前記信号線は、前記対向部材において隣接する前記開口部の間の領域を、前記対向部材の幅方向と交差する交差方向に向かって配線されている、
請求項１に記載のキーボード装置。
【請求項４】
前記対向部材の幅方向において、隣接する前記開口部の間の信号線が配線される領域の幅は、前記開口部の幅よりも小さい、
請求項３に記載のキーボード装置。
【請求項５】
前記対向部材は、前記キートップに対向する部分に接点を有し、前記信号線が前記接点と接続されているメンブレンスイッチである、
請求項１に記載のキーボード装置。
【請求項６】
前記キートップは、側面の法線方向に突出した突出部を有し、
前記キーボード装置は、前記キートップと前記対向部材の間で前記突出部を支持する支持部材を更に備え、
前記開口部は、第１開口部であり、
前記対向部材は、前記キートップの押下時の前記突出部の位置に対応して形成された複数の第２開口部を有する、
請求項１に記載のキーボード装置。
【請求項７】
前記磁石は、第１磁石であり、
前記支持部材は、前記第１磁石が吸着される第２磁石を有し、
前記対向部材は、前記第２磁石の対向する部分に形成された複数の第３開口部を有する、
請求項６に記載のキーボード装置。
【請求項８】
前記支持部材は、
前記第１磁石が前記第２磁石に吸着される第１位置と、押下により吸着が解除された第２位置との間で、前記キートップの高さ方向と交差する移動方向に前記キートップが移動するように、前記突出部をガイドする、
請求項７に記載のキーボード装置。
【請求項９】
前記キートップの裏面側から前記キートップを照らすシート状の自発光式の発光部材を更に備える、
請求項１に記載のキーボード装置。
【請求項１０】
前記発光部材は、無機ＥＬ発光部材又は有機ＥＬ発光部材である、
請求項９に記載のキーボード装置。
【請求項１１】
前記発光部材は、前記キートップの押下時の前記磁石の位置に対応して形成された複数の開口部を有する、
請求項９に記載のキーボード装置。
【発明の詳細な説明】
【技術分野】
【０００１】
本開示は、押下可能なキートップを備えるキーボード装置に関する。
【背景技術】
【０００２】
キーボード装置として例えばパーソナルコンピュータのキーボードには、ラバードーム及びシザース機構を備えるものが使用されている。このようなキーボード装置においては、ユーザによるキートップに対する押圧により、シザース機構に水平に支持されたキートップがラバードームを押し下げる。その結果、メンブレンスイッチにおいて電気的接続がなされて、入力信号が伝わる仕組みを採用している（特許文献１参照）。
【先行技術文献】
【特許文献】
【０００３】
【特許文献１】特開２０１２−１２９１４０号公報
【発明の概要】
【発明が解決しようとする課題】
【０００４】
近年、キーボード装置の薄型化が、要求されている。かかる要求に応えるべく、ラバードーム及びシザース機構に代えて、磁石対に生じる引力を利用した方式が提案されている。かかる方式では、キートップに磁石に設けられる。
【０００５】
ところで、キートップに磁石が設けられている場合において、キートップの押下時に、磁石が、信号線が配線されたメンブレスイッチと干渉する恐れがある。かかる場合には、信号線の配線に支障を及ぼす恐れがある。
【０００６】
そこで、本開示では、キーボード装置を薄型化しつつ、信号線を適切に配線することが可能な方法を提案する。
【課題を解決するための手段】
【０００７】
本開示によれば、磁石を有し押下可能な複数のキートップと、前記複数のキートップに対向するように設けられ、信号線が配線された対向部材と、前記対向部材において前記キートップの押下時の前記磁石の位置に対応して形成された複数の開口部と、を備え、前記信号線は、前記開口部を避けるように配線されている、キーボード装置が提供される。
【０００８】
本開示によれば、キーボード装置は、対向部材においてキートップの押下時の前記磁石の位置に対応して形成された複数の開口部を備えることで、磁石が対向部材に干渉することが無いので、キーボード装置の薄型化を実現できる。また、対向部材において信号線が開口部を避けるように配線されることで、キートップの押下に伴う信号の出力を適切に行うことが可能となる。
【発明の効果】
【０００９】
以上説明したように本開示によれば、キーボード装置を薄型化しつつ、キートップが対向する対向部材において信号線を適切に配線することが可能となる。
【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係る電子機器１０の外観構成の一例を示す斜視図である。
【図２】本体側筐体３０の構成の一例を示す平面図である。
【図３】一実施形態に係るキーボード部３３の構成の一例を示す斜視図である。
【図４】一実施形態に係るキーボード部３３の分解状態を示す斜視図である。
【図５】一実施形態に係るバックライト部材１２０の構成を示す図である。
【図６】一実施形態に係るメンブレン１３０の構成を示す図である。
【図７】一実施形態に係る支持部材１４０とキートップ１５０の構成の一例を示す斜視図である。
【図８】一実施形態に係る支持部材１４０の構成の一例を示す平面図である。
【図９】一実施形態に係るキートップ１５０の構成を示す図である。
【図１０】一実施形態に係る磁石１５６の位置を説明するための図である。
【図１１】一実施形態に係る信号線１３６の配線状態を示す図である。
【図１２】ユーザがキートップ１５０を押下する際のキーボード部３３の動きの例を説明するための図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．キーボード装置の構成
２．キーボード部の詳細構成
３．メンブレンにおける信号線の配線について
４．キーボード部の動きの例
５．まとめ
【００１４】
＜１．キーボード装置の構成＞
本開示の一実施形態に係るキーボード装置の構成について説明する。以下では、キーボード装置として、図１に示す電子機器１０を例に挙げて説明する。
【００１５】
図１は、本開示の一実施形態に係る電子機器１０の外観構成の一例を示す斜視図である。電子機器１０は、例えばノート型のパーソナルコンピュータである。ただし、電子機器１０は、ノート型のパーソナルコンピュータに限定されず、例えばデスクトップ型のパーソナルコンピュータであっても良い。
【００１６】
電子機器１０は、図１に示すように、表示側筐体２０と、本体側筐体３０と、ヒンジ機構部４０と、を有する。表示側筐体２０及び本体側筐体３０は、例えばそれぞれ平板形状となっており、同一サイズに形成されている。
【００１７】
表示側筐体２０は、表示部２２を有する。表示部２２は、例えば液晶ディスプレイ等の表示装置により構成される。表示部２２は、各種の情報を表示する表示画面を有する。なお、表示部２２の表示画面には、ユーザがタッチ操作可能なタッチパネルが重畳されていても良い。
【００１８】
本体側筐体３０は、ユーザの入力操作を受け付ける入力部３２を有する。入力部３２は、ユーザの入力操作を検出し、入力操作に対応する電気信号を出力する。ユーザは、表示側筐体２０が開状態（図１）である際に、入力部３２により入力操作を行う。
【００１９】
図２は、本体側筐体３０の構成の一例を示す平面図である。入力部３２は、図２に示すように、キーボード部３３やタッチパッド部３４等を含む。キーボード部３３は、ユーザが押下可能な操作キーを複数有する。タッチパッド部３４は、ユーザがタッチ入力可能な領域である。なお、キーボード部３３の詳細構成については、後述する。
【００２０】
ヒンジ機構部４０は、表示側筐体２０を本体側筐体３０に対して回動可能に連結する。ヒンジ機構部４０は、本体側筐体３０の長手方向（図１に示すＸ方向）の両側に設けられている。ヒンジ機構部４０により、表示側筐体２０は、本体側筐体３０に対して開いた開状態（図１）と、本体側筐体３０に対して閉じた閉状態との間で回動する。
【００２１】
なお、上記では、キーボード装置が、入力部３２と表示部２２が一体となったパーソナルコンピュータであることとしたが、これに限定されない。例えば、キーボード装置は、表示部２２を有さず、入力部３２を有するキーボードであっても良い。すなわち、キーボード装置は、表示装置と分離して構成されても良い。
【００２２】
＜２．キーボード部３３の詳細構成＞
図３及び図４を参照しながら、本開示の一実施形態に係るキーボード部３３の詳細構成の一例について説明する。図３は、一実施形態に係るキーボード部３３の構成の一例を示す斜視図である。図４は、一実施形態に係るキーボード部３３の分解状態を示す斜視図である。
【００２３】
キーボード部３３は、図４に示すように、ボトムプレート１１０と、バックライト部材１２０と、メンブレン１３０と、支持部材１４０と、キートップ１５０と、ベゼル１６０と、を有する。そして、キーボード部３３は、ボトムプレート１１０とベゼル１６０との間に、バックライト部材１２０、メンブレン１３０、支持部材１４０、キートップ１５０の順に積層される構成となっている。
【００２４】
（ボトムプレート１１０）
ボトムプレート１１０は、キーボード部３３の底部に設けられている。ボトムプレート１１０は、平板状の形状を成しており、例えばアルミプレート等の金属板や、樹脂等で成形された板状部材である。である。ボトムプレート１１０は、バックライト部材１２０、メンブレン１３０、支持部材１４０、キートップ１５０、及びベゼル１６０を支持する。なお、バックライト部材１２０、及びメンブレン１３０は、ボトムプレート１１０と同様に、平板状の形状を成している。
【００２５】
（バックライト部材１２０）
バックライト部材１２０は、例えば周囲が暗い時に発光部が点灯することで、キートップ１５０の裏面側からキートップ１５０を照らす。周囲の明るさは、例えば照度センサー等により感知される。バックライト部材１２０を設けることで、ユーザは、暗くても所望のキートップ１５０を押下することができる。
【００２６】
図５は、一実施形態に係るバックライト部材１２０の構成を示す図である。バックライト部材１２０は、図５に示すように、シート状の自発光式の発光部材である。これにより、バックライト部材１２０を薄くしつつ、キートップ１５０を照らすことが可能となる。バックライト部材１２０は、穴部１２２と、発光部１２４（図５でハッチングされた部分）とを有する。
【００２７】
穴部１２２は、後述するキートップ１５０の磁石１５６や摺動部１５８（図７参照）の配置箇所に、複数形成されている。具体的には、穴部１２２は、キートップ１５０の押下時に磁石１５６や摺動部１５８が入るように形成されていた開口部である。これにより、キートップ１５０が押下された際に磁石１５６や摺動部１５８が穴部１２２に入り込むので、キートップ１５０がバックライト部材１２０と干渉せず、バックライト部材１２０の厚み分だけキーボード部３３を薄くできる。
【００２８】
発光部１２４は、自ら発光する部材であり、例えば無機ＥＬ方式である。すなわち、バックライト部材１２０は、無機ＥＬ発光部材である。発光部１２４は、キートップ１５０の中心に対応する位置に、キートップ１５０の数だけ形成されている。このような無機ＥＬ方式の発光部を用いることで、バックライト部材１２０を薄くできると共に、均一に発光させることが可能となる。特に、発光部１２４が自ら発光する方式の場合には、穴部１２２が設けられていても、導光板が必要なＬＥＤ方式とは異なり、キートップ１５０を発光させることができる。
【００２９】
なお、上記では発光部１２４が無機ＥＬ方式であることとしたが、これに限定されず、例えば発光部１２４が有機ＥＬ方式であっても良い。すなわち、バックライト部材１２０が有機ＥＬ発光部材であっても良い。かかる場合にも、バックライト部材１２０を薄くすることが可能となる。また、自発光式のバックライト部材１２０としては、超低背のＬＥＤを各キートップ１５０の下に敷き詰めることで形成された薄型のシート状部材であっても良い。
【００３０】
（メンブレン１３０）
メンブレン１３０は、例えば２枚のフィルム状の部材と、該フィルム状部材の内面に所定の間隔で対向するように設けられた一対の電極からなる接点とを含むスイッチである。接点は、キートップ１５０に対応する位置に、それぞれ配置されている。接点が接触した場合、キートップ１５０に対応する電気信号が信号線を介して出力される。
【００３１】
図６は、一実施形態に係るメンブレン１３０の構成を示す図である。図６に示すように、メンブレン１３０は、穴部１３２と、接点１３４と、信号線１３６と、を有する。なお、一実施形態においては、メンブレン１３０がキートップ１５０に対向する対向部材の一例である。
【００３２】
穴部１３２は、バックライト部材１２０の穴部１２２と同様に、後述するキートップ１５０の磁石１５６や摺動部１５８（図７参照）の配置箇所に、複数形成されている。具体的には、穴部１３２は、キートップ１５０の押下時に磁石１５６が入るように形成された第１開口部と、キートップ１５０の押下時に摺動部１５８が入るように形成されていた第２開口部の機能を有する（図１０参照）。本実施形態では、第１開口部と第２開口部が繋がって形成されている。穴部１３２を設けることで、キートップ１５０が押下された際に磁石１５６や摺動部１５８が穴部１３２に入り込むので、キートップ１５０がメンブレン１３０と干渉せず、メンブレン１３０の厚み分だけキーボード部３３を薄くできる。
【００３３】
接点１３４は、キートップ１５０の対向する部分（具体的には、キートップ１５０の真下）に配置されている。キートップ１５０が押下されることで、キートップ１５０の裏面側が接点１３４に接する。これにより、押下したキートップ１５０に対応する電気信号が出力される。
【００３４】
信号線１３６は、メンブレン１３０において穴部１３２を避けるように配線されており、電気信号を伝える。信号線１３６は、接点１３４とキーボード部３３のキーボードコントローラとを接続させている。これにより、信号線１３６を介してキーボードコントローラに電気信号が出力される。なお、詳細は後述するが、キーボード薄型化のための穴部１３２の形成位置を調整することで、メンブレン１３０内で信号線１３６を適切に配線させることが可能となっている。
【００３５】
なお、上記では、メンブレン１３０が、スイッチ方式であることとしたが、これに限定されない。例えば、キートップ１５０と対向する部分で、キートップ１５０の近接を検出し、又は圧力を検出する方式であっても良い。また、位置検出、磁束検出、静電容量検出などの方式を採用しても良い。
【００３６】
（支持部材１４０）
支持部材１４０は、複数のキートップ１５０を支持する支持部である。また、支持部材１４０は、ユーザがキートップ１５０を押下した際に、キートップ１５０を所定の移動方向にガイドする機能も有する。
【００３７】
図７は、一実施形態に係る支持部材１４０とキートップ１５０の構成の一例を示す斜視図である。図８は、一実施形態に係る支持部材１４０の構成の一例を示す平面図である。なお、図７及び図８では、支持部材１４０の一部のみが示されている。また、図７では、説明の便宜上、一つのキートップ１５０のみが示されていると共に、キートップ１５０を支持部材１４０を離して示している。支持部材１４０は、図７及び図８に示すように、穴部１４２と、磁石１４４と、ガイド部１４６とを有する。
【００３８】
穴部１４２は、キートップ１５０の対応する位置に、キートップ１５０の形状に沿うように矩形状に形成された穴を有する。このため、キートップ１５０が押下されると、キートップ１５０が穴部１４２に入り込む構成となっている。
【００３９】
磁石１４４は、穴部１４２に隣接する位置に設けられている。具体的には、磁石１４４は、キートップ１５０に設けられた磁石１５６に対向する位置に設けられている。磁石１４４と磁石１５６の間で発生する引力により、磁石１５６が磁石１４４に吸着される。磁石１５６が磁石１４４に吸着されることで、押下前のキートップ１５０が基準位置に保持されることになる。
【００４０】
なお、磁石１４４は、支持部材１４０の磁石固定部１４５（図７）に固定されている。磁石固定部１４５は、磁石１４４の取り付け領域を確保するために、メンブレン１３０に向かって突出している。そして、一実施形態では、磁石固定部１４５の突出した部分が、メンブレン１３０の穴部１３２に入り込んでいる。これにより、磁石固定部１４５がメンブレン１３０に干渉することを防止でき、この結果キーボード部３３を薄くできる。すなわち、メンブレン１３０の穴部１３２は、磁石１４４の対向する部分に形成された第３開口部の機能も有する。
【００４１】
ガイド部１４６は、押下されたキートップ１５０を斜め下方へ移動させるように、キートップ１５０の摺動部１５８をガイドする。キートップ１５０は、前述したように押下前は基準位置（図１２に示す位置Ｐ１）にて保持されているが、キートップ１５０への押圧力が大きいと、磁石の吸着力に打ち勝ちキートップ１５０が入力位置（図１２に示す位置Ｐ２）に移動可能となる。本実施形態では、キートップ１５０の移動を円滑に行うために、四隅にガイド部１４６がそれぞれ設けられている。
【００４２】
また、ガイド部１４６には、斜面であるガイド面１４７が形成されている。ガイド面１４７は、キートップ１５０の高さ方向（図７のＺ方向）と交差する方向に形成されている。キートップ１５０は、押下されると、ガイド面１４７に沿って斜め下方へ移動する。なお、キートップ１５０への押圧が解除されると、磁石の吸着力により、キートップ１５０はガイド面１４７に沿って斜め上方へ移動する。
【００４３】
（キートップ１５０）
キートップ１５０は、図３に示すように、キーボード部３３の縦横に複数配列された操作キーである。操作キーは、例えば文字や数字のキーであり、それぞれ矩形状の形状を成している。複数のキートップ１５０は、互いに隣接するように配置されている。キートップ１５０が基準位置から入力位置まで押下されることで、キートップ１５０に対応する信号が出力される。
【００４４】
キートップ１５０は、ユーザによって押下される前には基準位置に保持され、押下された場合には入力位置に移動する。キートップ１５０は、支持部材１４０により、基準位置と入力位置の間でキートップ１５０の高さ方向と交差する移動方向に移動するように支持されている。複数のキートップ１５０の構成は同様であるので、以下では、図９を参照しながら一つのキートップ１５０を例に挙げて説明する。
【００４５】
図９は、一実施形態に係るキートップ１５０の構成を示す図である。なお、図９（ａ）はキートップ１５０を上面側から見た図であり、図９（ｂ）はキートップ１５０を底面側から見た図である。図９に示すように、キートップ１５０は、頂面１５１と、磁石１５６と、摺動部１５８と、を有する。
【００４６】
頂面１５１は、ユーザがキートップ１５０を押下する面である。頂面１５１の縁部に傾斜面１５４が形成されている。これにより、キートップ１５０が基準位置から入力位置へ移動する際に、キートップ１５０がベゼル１６０の開口部１６２（図４）の内縁に接触することを防止できる。
【００４７】
磁石１５６は、キートップ１５０の裏面１５５から突出するように、支持部材１４０の磁石１４４に対向する位置に固定されている。磁石１５６は、磁石１４４に引力により吸着される。このため、キートップ１５０は、押下される前は、磁石１５６が磁石１４４に吸着された基準位置に保持される。一方で、キートップ１５０への押下力が大きいと、磁石の吸着力に打ち勝ちキートップ１５０は入力位置へ移動することになる。なお、一実施形態において、磁石１５６が第１磁石に該当し、磁石１４４が第２磁石に該当する。また、キートップ１５０の基準位置が第１位置に該当し、入力位置が第２位置に該当する。
【００４８】
図１０は、一実施形態に係る磁石１５６の位置を説明するための図である。磁石１５６は、キートップ１５０の裏面１５５に幅方向において中心から端側にずれて配置されている。別言すれば、キートップ１５０の収納スペースの中心からずれて配置されている。なお、図１０は、説明の便宜上、一つのキートップ１５０を図示していない。
【００４９】
摺動部１５８は、キートップ１５０が押下された際に、支持部材１４０のガイド面１４７を摺動する。摺動部１５８は、キートップ１５０の側面の法線方向に突出した突出部である。一実施形態では、摺動部１５８が、キートップ１５０の両側面１５２から法線方向へ突出するように、４つ形成されている。摺動部１５８がガイド面１４７に沿って摺動することで、キートップ１５０は、基準位置と入力位置との間で移動する。
【００５０】
（ベゼル１６０）
ベゼル１６０は、キーボート部３３のトップカバーである。ベゼル１６０には、図４に示すように、キートップ１５０が配置されるように開口部１６２が複数形成されている。開口部１６２は、配置されるキートップ１５０よりも僅かに大きな面積の穴を有する。
【００５１】
上述したように、一実施形態に係るキーボード部３３は、支持部材１４０に設けられた磁石１４４と、キートップ１５０に設けられた磁石１５６とを有する。このような磁石対の間には磁気的吸引力が発生し、かかる吸引力によりキートップ１５０の基準位置を保持している。これにより、ラバードーム及びシザース機構を用いる構成に比べて、キーボード部３３を薄型化することが可能となる。
【００５２】
なお、ラバードームを薄くする方式も提案されている。しかし、ラバードームを薄くすると、ラバードームの座屈特性の悪化によりユーザに与えるキートップ押圧の感覚（クリック感とも呼ばれる）が低下する。さらに、シザース機構も薄くすると、シザース機構の強度が低下し、耐久性が損なわれる。これに対して、一実施形態のようにラバードーム及びシザース機構に代えて磁石１４４、１５６を用いることで、クリック感の低下を抑えることができ、またシザース機構の強度について考慮する必要も無い。
【００５３】
＜３．メンブレン１３０における信号線の配線について＞
上述したように、メンブレン１３０には、信号を伝えるための信号線１３６が配線されている。一方で、キーボード部３３の薄型化のために、メンブレン１３０の全領域に亘って穴部１３２が複数形成されている（図６参照）。
【００５４】
前述したように、穴部１３２は、キートップ１５０の押下時に磁石１５６が入るように形成された第１開口部と、キートップ１５０の押下時に摺動部１５８が入るように形成されていた第２開口部として機能する。また、穴部１３２は、支持部材１４０の磁石１４４の対向する部分に形成された第３開口部としても機能する。このように、メンブレン１３０に複数の穴部１３２を形成しているため、信号線１３６を配線させる領域が限定されることになる。
【００５５】
そこで、一実施形態に係るメンブレン１３０においては、図１１に示すように信号線１３６を配線させている。
【００５６】
図１１は、一実施形態に係る信号線１３６の配線状態を示す図である。図１１に示すように、一実施形態に係るメンブレン１３０においては、信号線１３６が穴部１３２を避けるように配線されている。具体的には、信号線１３６は、メンブレン１３０において隣接する穴部１３２の間の領域を、メンブレン１３０の幅方向（図１１のＸ方向）とする交差方向（図１１のＹ方向）に向かって配線されている。
【００５７】
また、上述した交差方向に向かって信号線１３６を配線するためには、幅方向において隣接する穴部１３２の間の領域の幅を大きくすることが望ましい。しかし、一実施形態に係るキーボード部３３においては、幅方向を小さくする観点等からキートップ１５０を密集して配置させるため、メンブレン１３０の幅方向において、隣接する穴部１３２の間の信号線１３６が配線される領域の幅（図１１に示す幅Ｗ１）は、穴部１３２の幅（図１１に示す幅Ｗ２）よりも小さい。
【００５８】
そして、キートップ１５０の磁石１５６を、図１０に示すようにキートップ１５０の幅方向において一端側にずれて配置させるせることで、図１１に示すように、隣接する穴部１３２の間の信号線が配線される領域を確保できる。このため、メンブレン１３０に穴部１３２を形成しても、信号線１３６を交差方向に向かって適切に配線させることが可能となる。一方で、磁石１５６をキートップ１５０の幅方向における中心に配置させると、隣接する穴部１３２の領域を幅を十分に確保できないため、信号線１３６を適切に配線できない。
【００５９】
＜４．キーボード部３３の動きの例＞
図１２を参照しながら、ユーザがキートップ１５０を押下する際のキーボード部３３の動きの例について説明する。図１２は、ユーザがキートップ１５０を押下する際のキーボード部３３の動きの例を説明するための図である。
【００６０】
ここでは、キートップ１５０は、磁石１５６が支持部材１４０の磁石１４４に吸着されて、基準位置Ｐ１に位置するものとする。この状態で、ユーザは、キートップ１５０で入力するために、指でキートップ１５０の頂面１５１を押下する。
【００６１】
頂面１５１への押圧力が小さいと、キートップ１５０は移動しないが、押圧力が大きいと、磁石の吸着力に打ち勝ちキートップ１５０が斜め下方へ移動し始める。具体的には、キートップ１５０は、ユーザから見て奥側から手前側へ向けて、支持部材１４０のガイド面１４７に沿って移動する。
【００６２】
この際、キートップ１５０の縁部に傾斜面１５４が形成されているので、キートップ１５０がガイド面１４７に沿って移動する際に、キートップ１５０の縁部がベゼル１６０の開口部１６２の内縁と干渉しない。この結果、キートップ１５０は、図１２に示すように奥側から手前側へ移動量ｙだけ円滑に移動して、入力位置Ｐ２に位置する。
【００６３】
キートップ１５０が入力位置Ｐ２に位置する際に、磁石１５６や摺動部１５８は、メンブレン１３０の穴部１３２に入り込むことになる。このため、磁石１５６や摺動部１５８がメンブレン１３０に干渉しない。そして、キートップ１５０が入力位置Ｐ２に位置すると、メンブレン１３０の接点１３４に接触する。これにより、メンブレン１３０から信号線１３６を介してキーボードコントローラへ電気信号が伝達される。
【００６４】
頂面１５１への押圧が開放されると、入力位置Ｐ２に位置するキートップ１５０は、磁石１５６と磁石１４４の間の引力により、ガイド面１４７に沿って上方へ移動する。そして、キートップ１５０は、磁石１５６が磁石１４４に吸着した基準位置Ｐ１に位置する。
【００６５】
＜５．まとめ＞
上述した電子機器１０において、メンブレン１３０は、キートップ１５０の押下時の磁石１５６に位置に対応して形成された複数の開口部１３２を備える。これにより、磁石１５６がメンブレン１３０に干渉することが無いので、キーボード部３３の薄型化を実現できる。また、メンブレン１３０において信号線１３６が開口部１３２を避けるように配線されている。これにより、キートップ１５０の押下に伴う信号の出力を適切に行うことが可能となる。
【００６６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６７】
なお、上記では、対向部材が、接点１３４と信号線１３６を有するメンブレン１３０であることとしたが、これに限定されない。例えば、対向部材は、接点を有さず、信号線が配線されるシート状の部材であっても良い。
【００６８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６９】
なお、以下のような構成も本開示の技術的範囲に属する。
（１）
磁石を有し押下可能な複数のキートップと、
前記複数のキートップに対向するように設けられ、信号線が配線された対向部材と、
前記対向部材において前記キートップの押下時の前記磁石の位置に対応して形成された複数の開口部と、
を備え、
前記信号線は、前記複数の開口部を避けるように配線されている、キーボード装置。
（２）
前記磁石は、前記キートップの裏面に幅方向において中心から端側にずれて配置されている、
前記（１）に記載のキーボード装置。
（３）
前記信号線は、前記対向部材において隣接する前記開口部の間の領域を、前記対向部材の幅方向と交差する交差方向に向かって配線されている、
前記（１）又は（２）に記載のキーボード装置。
（４）
前記対向部材の幅方向において、隣接する前記開口部の間の信号線が配線される領域の幅は、前記開口部の幅よりも小さい、
前記（３）に記載のキーボード装置。
（５）
前記対向部材は、前記キートップに対向する部分に接点を有し、前記信号線が前記接点と接続されているメンブレンスイッチである、
前記（１）〜（４）のいずれか１項に記載のキーボード装置。
（６）
前記キートップは、側面の法線方向に突出した突出部を有し、
前記キーボード装置は、前記キートップと前記対向部材の間で前記突出部を支持する支持部材を更に備え、
前記開口部は、第１開口部であり、
前記対向部材は、前記キートップの押下時の前記突出部の位置に対応して形成された複数の第２開口部を有する、
前記（１）〜（５）のいずれか１項に記載のキーボード装置。
（７）
前記磁石は、第１磁石であり、
前記支持部材は、前記第１磁石が吸着される第２磁石を有し、
前記対向部材は、前記第２磁石の対向する部分に形成された複数の第３開口部を有する、
前記（６）に記載のキーボード装置。
（８）
前記支持部材は、
前記第１磁石が前記第２磁石に吸着される第１位置と、押下により吸着が解除された第２位置との間で、前記キートップの高さ方向と交差する移動方向に前記キートップが移動するように、前記突出部をガイドする、
前記（７）に記載のキーボード装置。
（９）
前記キートップの裏面側から前記キートップを照らすシート状の自発光式の発光部材を更に備える、
前記（１）〜（８）のいずれか１項に記載のキーボード装置。
（１０）
前記発光部材は、無機ＥＬ発光部材又は有機ＥＬ発光部材である、
前記（９）に記載のキーボード装置。
（１１）
前記発光部材は、前記キートップの押下時の前記磁石の位置に対応して形成された複数の開口部を有する、
前記（９）又は（１０）に記載のキーボード装置。
【符号の説明】
【００７０】
１０    電子機器
３３    キーボード部
１２０    バックライト部材
１２２    穴部
１２４    発光部
１３０    メンブレン
１３２    穴部
１３４    接点
１３６    信号線
１４０    支持部材
１４４    磁石
１４６    ガイド部
１５０    キートップ
１５６    磁石
１５８    摺動部
【図１】
2015049800.tif 000003
【図２】
2015049800.tif 000004
【図３】
2015049800.tif 000005
【図４】
2015049800.tif 000006
【図５】
2015049800.tif 000007
【図６】
2015049800.tif 000008
【図７】
2015049800.tif 000009
【図８】
2015049800.tif 000010
【図９】
2015049800.tif 000011
【図１０】
2015049800.tif 000012
【図１１】
2015049800.tif 000013
【図１２】
2015049800.tif 000014